【事件の表示】
　特許第２７２３９８７号「画像形成後処理方法」の特許に対する特許異議の申立てについて、次のとおり決定する。
【結論】
　訂正を認める。
　特許第２７２３９８７号の特許を維持する。
【理由】
１．手続の経緯
　特許第２７２３９８７号の請求項１に係る発明ついての出願は、平成１年８月１日に出願され、平成９年１１月２８日にその発明について特許の設定登録がされ、その後、その特許について、飯島　洋により特許異議の申立てがなされ、取消理由通知がなされ、その指定期間内である平成１１年６月１７日に訂正請求がなされたものである。
２．訂正の適否についての判断
　ア．訂正の内容
　特許権者が求めている訂正請求書における訂正の内容は、本件特許明細書を以下のとおりに訂正しようとするものである。
訂正事項ａ
　特許請求の範囲の請求項１に係る記載を特許請求の範囲の減縮及び明瞭でない記載の釈明及び誤記の訂正を目的として、
「画像形成装置から排出される記録紙を製本処理するように上記記録紙を揃えた後、記録紙の端部をステープル装置部で綴じ、かつこの綴じられた記録紙群を排紙トレイに放出するようにした画像形成後処理方法において、
　前記ステープル装置部に搬入される記録紙の枚数をカウントし、
　該カウント値が設定値を越えた場合には、上記ステープル装置部に既にスタックされている記録紙群を当該ステープル装置部にスタックされた頁順を保った状態で排紙トレイに排出するとともに、
　ステープル装置部に搬入されてくる残りの記録紙を一旦ステープル装置部ヘスタックし、スタック終了後にこれらの記録紙群を当該ステープル装置部にスタックされた頁順を保った状態で排紙トレイに排出させ、
　記録紙群に対してステープル処理を行なわないようにしたことを特徴とする画像形成後処理方法。」と訂正する。
訂正事項ｂ
　特許明細書の第２頁左欄第１７行ないし同第２８行にかかる記載「画像形成装置から排出される記録紙を製本処理するように、記録紙を揃えた後に、記録紙の端部をステープル装置部で綴じるとともに、この綴じられた記録紙群を排紙トレイに放出するようにした画像形成後処理方法において、前記ステープル装置部に搬入される記録紙の枚数をカウントし、該カウント値が設定値を越えた場合にはステープル装置部に既にスタックされている記録紙を排紙トレイに排出するとともに、ステープル装置部に搬入される残りの記録紙を一旦ステープル装置部ヘスタックし、スタック終了後にこれらの記録紙を排紙トレイに排出させ、記録紙群に対してステープル処理を行なわないようにした」を、明瞭でない記載の釈明を目的として、
　「画像形成装置から排出される記録紙を製本処理するように、記録紙を揃えた後に、記録紙の端部をステープル装置部で綴じるとともに、この綴じられた記録紙群を排紙トレイに放出するようにした画像形成後処理方法において、前記ステープル装置部に搬入される記録紙の枚数をカウントし、該カウント値が設定値を越えた場合にはステープル装置部に既にスタックされている記録紙群を当該ステープル装置部にスタックされた頁順を保った状態で排紙トレイに排出するとともに、ステープル装置部に搬入される残りの記録紙を一旦ステープル装置部ヘスタツクし、スタック終了後にこれらの記録紙群を当該ステープル装置部にスタックされた頁順を保った状態で排紙トレイに排出させ、記録紙群に対してステープル処理を行なわないようにした」と訂正する。
訂正事項ｃ
　同第９頁左欄第１２行乃至同第１８行にかかる記載「規定枚数以上の記録紙がステープル装置部へ送り込まれた場合において、ステープル動作を実行させることなく記録紙群を排出させることとしたから、ステープル能力オーバーに基づくジャム発生などの不都合を未然に防止することができるとともに、コピー処理動作が規定枚数で中断されることを防止することができ、コピー作業をスムーズに行ない得る」を、明瞭でない記載の釈明を目的として、
　「規定枚数以上の記録紙がステープル装置部へ送り込まれた場合において、ステープル動作を実行させることなく記録紙群を当該ステープル装置部にスタックされた頁順を保った状態で排出させることとしたから、ステープル能力オーバーに基づくジャム発生などの不都合を未然に防止することができるとともに、コピー処理動作が規定枚数で中断されることを防止することができ、コピー作業をスムーズに行ない得る」と訂正する。
　イ．訂正の目的の適否、新規事項の有無及び拡張・変更の存否
訂正事項ａについて
　前記訂正事項ａは、願書に最初に添付した明細書及び図面の記載からみて特許請求の範囲の減縮及び明瞭でない記載の釈明及び誤記の訂正に該当し、願書に最初に添付した明細書又は図面に記載した事項の範囲内の訂正であり、また、実質上特許請求の範囲を拡張又は変更するものではない。
訂正事項ｂ及び訂正事項ｃについて
　これらの訂正は、上記訂正事項ａによる特許請求の範囲の記載の訂正に基づいて整合性を図るための訂正であり、明瞭でない記載の釈明に相当し実質的に特許請求の範囲を拡張又は変更するものではない。
　ウ．独立特許要件の判断
（訂正明細書の請求項１に係る発明）
　訂正明細書の請求項１に係る発明は、その特許請求の範囲の請求項１に記載された次の事項により特定されるとおりのものである。
　「【請求項１】
　画像形成装置から排出される記録紙を製本処理するように上記記録紙を揃えた後、記録紙の端部をステープル装置部で綴じ、かつこの綴じられた記録紙群を排紙トレイに放出するようにした画像形成後処理方法において、
　前記ステープル装置部に搬入される記録紙の枚数をカウントし、
　該カウント値が設定値を越えた場合には、上記ステープル装置部に既にスタックされている記録紙群を当該ステープル装置部にスタックされた頁順を保った状態で排紙トレイに排出するとともに、
　ステープル装置部に搬入されてくる残りの記録紙を一旦ステープル装置部ヘスタックし、スタック終了後にこれらの記録紙群を当該ステープル装置部にスタックされた頁順を保った状態で排紙トレイに排出させ、
　記録紙群に対してステープル処理を行なわないようにしたことを特徴とする画像形成後処理方法。」
（引用刊行物）
　当審で通知した訂正拒絶理由で引用した刊行物（特開昭６０−２０５４６６号公報）には、その公報の第２頁右上欄第１９行から第３頁左下欄第１４行に記載の内容と図面の記載内容からみて、本件発明に照らして表現すると、「画像形成装置（刊行物に記載の「複写機本体１」に対応する。以下、かっこ内は同じ）から排出される記録紙（コピー用紙）を製本処理するように上記記録紙（コピー用紙）を揃えた後、記録紙（コピー用紙）の端部をステープル装置部（ステイプラー装置１３）で綴じ、かつこの綴じられた記録紙（コピー用紙）群を排紙トレイ（排出トレイ１１）に放出するようにした画像形成後処理方法において、
　前記ステープル装置部（ステイプラー装置１３）に搬入される記録紙の枚数をカウントし、
　該カウント値が設定値を超えた場合には、それ以後の記録紙は切換装置駆動部１７を制御して前記ステープル装置部（ステイプラー装置１３）を通ることなく直接排紙トレイ（排出トレイ１１）に排出させるようにし、記録紙（コピー用紙）の搬入が終了すると、その後で前記ステープル装置部（ステイプラー装置１３）に既にスタックされている設定枚数分の記録紙（コピー用紙）を排紙トレイ（排出トレイ１１）に排出させ、
　記録紙（コピー用紙）群に対してステープル処理を行なわないようにした画像形成後処理方法。」が記載されている。
（比較・判断）
　上記訂正明細書の請求項１に係る発明と上記刊行物記載の発明とを比較すると、訂正明細書の請求項１に係る発明は、「該カウント値が設定値を越えた場合には、上記ステープル装置部に既にスタックされている記録紙群を当該ステープル装置部にスタックされた頁順を保った状態で排紙トレイに排出するとともに、
　ステープル装置部に搬入されてくる残りの記録紙を一旦ステープル装置部ヘスタックし、スタック終了後にこれらの記録紙群を当該ステープル装置部にスタックされた頁順を保った状態で排紙トレイに排出させ」る構成を有しているのに対して、上記刊行物記載の発明は「該カウント値が設定値を超えた場合には、それ以後の記録紙は切換装置駆動部１７を制御して前記ステープル装置部（ステイプラー装置１３）を通ることなく直接排紙トレイ（排出トレイ１１）に排出させるようにし、記録紙（コピー用紙）の搬入が終了すると、その後で前記ステープル装置部（ステイプラー装置１３）に既にスタックされている設定枚数分の記録紙（コピー用紙）を排紙トレイ（排出トレイ１１）に排出させ」る構成を有している点で相違しており、その余の点では一致している。
　そして、本件発明は、上記構成を有していることによって、ステープル装置部にスタックされた頁順を保った状態で排出させることとしたから、コピー作業をスムーズに行ない得ることができるという上記訂正明細書に記載のような効果を奏するものであり、上記訂正明細書の請求項１に係る発明は上記刊行物記載の発明に基づいて当業者が容易に発明をすることができたものとは一概にこれを認めることはできない。
エ．むすび
　以上のとおりであるから、上記訂正は、特許法第１２０条の４第３項で準用する同法第１２６条第２項乃至第４項の規定に適合するので、当該訂正を認める。
３．特許異議の申立てについての判断
（１）本件発明
　本件請求項１に係る発明は、上記訂正明細書の特許請求の範囲の請求項１に記載された事項により特定されるとおりのものである。
（２）申立ての理由の概要
　異議申立人飯島　洋は、証拠方法として甲第１号証（特開昭６３−２６６６３号公報）、甲第２号証（特開昭６０−２０５４６６号公報）を提示して、本件の請求項１に係る発明は甲第１号証及び甲第２号証に記載された発明から当業者が容易に発明をすることができたものであるから、特許法第２９条第２項の規定により特許を受けることができないものであり、本件請求項１に係る発明の特許は同法第１１３条第１項２号により取り消されるべきものである旨主張している。
（３）当審の判断
　異議申立人が提示した甲第１号証には、「トレイ上にコピーをスタックし、揃えた状態で、ステイプラーを作動させてステイプルを打ちこむことにより、所定枚数のコピーを綴じる自動綴じ装置において・・中略・・コピーをステイプラーの作動毎に分割して綴じることを特徴とするコピー綴じ方法」が記載されており、　また、「上記フィニッシャーは複写機等に付設され、複写の終了した転写紙Ｐはコピーとして、その複写機の排出ローラ対１から排出されフィニッシャー２内へと進入する・・中略・・本発明のコピー綴じ方法の特徴とするところは、オペレータによるコピー設定枚数Ｎが、綴じ能力Ｍを越える場合（Ｎ＞Ｍ）、トレイ７にスタックされるコピー枚数がＭを越える前に、ステイプラー９を作動させ、以後、これを繰り返す点にあり、これにより、コピーはステイプラーの作動毎に分割して綴じられることになる。」（同第２頁左上欄第１４行から右下欄第１７行に記載）と記載されている。
　そして、上記記載と図面記載からみて、本件発明に照らして表現すると、甲第１号証には、「画像形成装置（複写機）から排出される記録紙（転写紙Ｐ）を製本処理（綴じ込み）するように上記記録紙（転写紙Ｐ）を揃えた後、記録紙（転写紙Ｐ）の端部をステープル装置部（ステイプラー９）で綴じ、かつこの綴じられた記録紙（転写紙Ｐ）群を排紙トレイに放出するようにした画像形成後処理方法において、
　前記ステープル装置部（ステイプラー９）に搬入される記録紙の枚数をカウントし、
　該カウント値（Ｎ）が設定値（Ｍ）を越えた場合には、上記設定値（Ｍ）を超える前にステープル装置（ステイプラー９）を作動させ、以後これを繰り返すようにした画像形成後処理方法。」について記載されているものである。
　また、上記甲第２号証は上記刊行物に相当し、甲第２号証には、上記２．ウ．において認定されたような発明乃至技術事項が記載されているものである。
　そこで、本件請求項１に係る発明と上記甲第１号証，甲第２号証に記載されたものと比較すると、
　上記甲各号証には、本件請求項１に係る発明の構成の一部ずつが記載されているけれども、結局、上記甲第１号証及び甲第２号証に記載されたものには、少なくとも、本件請求項１に係る発明の「該カウント値が設定値を越えた場合には、上記ステープル装置部に既にスタックされている記録紙群を当該ステープル装置部にスタックされた頁順を保った状態で排紙トレイに排出するとともに、
　ステープル装置部に搬入されてくる残りの記録紙を一旦ステープル装置部ヘスタックし、スタック終了後にこれらの記録紙群を当該ステープル装置部にスタックされた頁順を保った状態で排紙トレイに排出させ」る構成を備えていないものである。
　そして、本件発明は、上記構成を有していることによって、ステープル装置部にスタックされた頁順を保った状態で排出させることとしたから、コピー作業をスムーズに行ない得ることができるという上記訂正明細書に記載のような効果を奏するものであり、本件請求項１に係る発明は上記甲第１号証及び甲第２号証の記載に基づいて当業者が容易に発明をすることができたものとは一概にこれを認めることはできない。
（４）むすび
　以上のとおり、上記異議申立人の異議申立ての理由及び証拠方法によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１１年９月１日（１９９９．９．１）
【訂正の要旨】
（３）訂正の要旨
　▲１▼訂正事項ａ
　特許第２７２３９８７号の明細書（以下「特許明細書」という）の特許請求の範囲の請求項１に係る記載
「画像形成装置から排出される記録紙を製本処理するように上記記録紙を揃えた後、記録紙の端部をステープル装置部で綴じ、かつこの綴じられた記録紙群を排紙トレイに放出するようにし画像形成後処理方法において、
　前記ステープル装置部に搬入される記録紙の枚数をカウントし、
　該カウント値が設定値を越えた場合には、上記ステープル装置部に既にスタックされている記録紙を排紙トレイに排出するとともに、
　ステープル装置部に搬入されてくる残りの記録紙を一旦ステープル装置部ヘスタックし、スタック終了後にこれらの記録紙群を排紙トレイに排出させ、
　記録紙群に対してステープル処理を行なわないようにしたことを特徴とする画像形成後処理装置。」を、特許請求の範囲の減縮及び明瞭でない記載の釈明及び誤記の訂正を目的として、「画像形成装置から排出される記録紙を製本処理するように上記記録紙を揃えた後、記録紙の端部をステープル装置部で綴じ、かつこの綴じられた記録紙群を排紙トレイに放出するようにした画像形成後処理方法において、
　前記ステープル装置部に搬入される記録紙の枚数をカウントし、
　該カウント値が設定値を越えた場合には、上記ステープル装置部に既にスタックされている記録紙
群
当該ステープル装置部にスタックされた頁順を保った状態で
　ステープル装置部に搬入されてくる残りの記録紙を一旦ステープル装置部ヘスタックし、スタック終了後にこれらの記録紙群を
当該ステープル装置部にスタックされた頁順を保った状態で
　記録紙群に対してステープル処理を行なわないようにしたことを特徴とする画像形成後処理
方法
▲２▼訂正事項ｂ
　特許明細書の第２頁左欄第１７行ないし同第２８行にかかる記載
「画像形成装置から排出される記録紙を製本処理するように、記録紙を揃えた後に、記録紙の端部をステープル装置部で綴じるとともに、この綴じられた記録紙群を排紙トレイに放出するようにした画像形成後処理方法において、前記ステーブル装置部に搬入される記録紙の枚数をカウントし、該カウント値が設定値を越えた場合にはステープル装置部に既にスタックされている記録紙を排紙トレイに排出するとともに、ステープル装置部に搬入される残りの記録紙を一旦ステープル装置部ヘスタックし、スタック終了後にこれらの記録紙を排紙トレイに排出させ、記録紙群に対してステープル処理を行なわないようにした」を、明瞭でない記載の釈明を目的として、
「画像形成装置から排出される記録紙を製本処理するように、記録紙を揃えた後に、記録紙の端部をステープル装置部で綴じるとともに、この綴じられた記録紙群を排紙トレイに放出するようにした画像形成後処理方法において、前記ステープル装置部に搬入される記録紙の枚数をカウントし、該カウント値が設定値を越えた場合にはステープル装置部に既にスタックされている記録紙
群
当該ステープル装置部にスタックされた頁順を保った状態で
群
当該ステープル装置部にスタックされた頁順を保った状態で
「規定枚数以上の記録紙がステープル装置部へ送り込まれた場合において、ステープル動作を実行させることなく記録紙群を排出させることとしたから、ステープル能力オーバーに基づくジャム発生などの不都合を未然に防止することができるとともに、コピー処理動作が規定枚数で中断されることを防止することができ、コピー作業をスムーズに行ない得る」を、明瞭でない記載の釈明を目的として、
「規定枚数以上の記録紙がステープル装置部へ送り込まれた場合において、ステープル動作を実行させることなく記録紙群を
当該ステープル装置部にスタックされた頁順を保った状態で
（５４）【発明の名称】
画像形成後処理方法
（５７）【特許請求の範囲】
　【請求項１】　
　画像形成装置から排出される記録紙を製本処理するように上記記録紙を揃えた後、記録紙の端部をステープル装置部で綴じ、かつこの綴じられた記録紙群を排紙トレイに放出するようにした画像形成後処理方法において、
　前記ステープル装置部に搬入される記録紙の枚数をカウントし、
　該カウント値が設定値を越えた場合には、上記ステープル装置部に既にスタックされている記録紙
群
当該ステープル装置部にスタックされた頁順を保った状態で
　ステープル装置部に搬入されてくる残りの記録紙を一旦ステープル装置部ヘスタックし、スタック終了後にこれらの記録紙群を
当該ステープル装置部にスタックされた頁順を保った状態で
　記録紙群に対してステープル処理を行なわないようにしたことを特徴とする画像形成後処理
方法
【発明の詳細な説明】
［産業上の利用分野］
　本発明は、複写機、プリンターなどの画像形成装置より排出される記録紙にステープルなどの後処理を行なう画像形成後処理方法に関する。
［従来の技術］
　従来例えば、特開昭６２−２００４６号公報、特開昭６２−１９１３７５号公報、特開昭６２−１７６２４６号公報、特開昭６２−２９０６６９号公報、特開昭５９−８２２６３号公報、特開昭６３−１０１２６８号公報などに記載されているように、画像形成装置から送り出される記録紙をステープルトレイに収納して記録紙を綴じ、その綴じられた記録紙の束を下方トレイに落下して排出させるように構成してなる画像形成後処理装置が一般に知られている。
［発明が解決しようとする課題］
　ところがこのような従来の画像形成後処理装置においては、ステープル装置のステープル能力以上に記録紙が送り込まれた場合に、ステープル能力オーバーに基づくジャムが発生したり、コピー処理動作がステープル可能な規定枚数で中断されることがあり、これによってコピー作業をスムーズに行ない得ない場合がある。
　そこで本発明は上述した従来の装置の問題点を解消し、規定枚数以上の記録紙がステープル装置部へ送り込まれた場合において、ステープル能力オーバーに基づくジャム発生などの不都合を未然に防止することができるとともに、コピー処理動作が規定枚数で中断されることを防止することができ、コピー作業をスムーズに行ない得ることができるようにした画像形成後処理方法を提供することを目的としている。
［課題を解決するための手段］
　上記目的を達成するため本発明は、画像形成装置から排出される記録紙を製本処理するように、記録紙を揃えた後に、記録紙の端部をステープル装置部で綴じるとともに、この綴じられた記録紙群を排紙トレイに放出するようにした画像形成後処理方法において、前記ステープル装置部に搬入される記録紙の枚数をカウントし、該カウント値が設定値を越えた場合にはステープル装置部に既にスタックされている記録紙
群
当該ステープル装置部にスタックされた頁順を保った状態で
群
当該ステープル装置部にスタックされた頁順を保った状態で
［作用］
　このような構成を有する手段においては、規定枚数以上の記録紙がステープル装置部へ送り込まれた場合には、ステープル処理が行なわれることなく記録紙が排出されることとなり、ステープル能力オーバーに基づくジャム発生などの不都合が未然に防止されるようになっている。
［実　施　例］
　以下、本発明の実施例を図面に基づいて詳細に説明する。
　第１図に示されているフィニッシャーは、図示を省略した画像形成装置の側部に備え付けられており、上部側のシフト仕分け部Ｉと、下部側のステープル部ＩＩとから構成されている。
　まずシフト仕分け部Ｉの搬送経路には、複数の搬送ローラーおよびそれに従動する従動コロが配されている。第１の搬送ローラー１０１の回転軸は第１のタイミングベルト１０４を介して搬送駆動モーターＭ１の回転軸に接続されており、これによって駆動力を得る。前記第１の搬送ローラー１０１の回転軸は、図示を省略した第２のタイミングベルトにより他の搬送ローラーの回転軸および排出ローラー１０２の回転軸さらには寄せ用ファーブラシ１０３の回転軸にも接続されこれらを駆動するようになっている。
　また最上流の搬送ローラー１０１の直前部分には入口センサーＳＮ１が設けられているととに、排出口−ラー１０２の直前部分には排紙センサーＳＮ２が設けられており、搬送される紙の先端および後端が検知されるようになっている。前記第１の搬送ローラー１０１の下流には、切り換え爪１０５配されており、駆動用のソレノイド２３０および図示を省略したスプリングの働きによって搬送方向を後述するステープル部ＩＩおよびシフト仕分け部Ｉトレイ部のいずれお方向へも変更することができるようになっている。
　第２図、第３図および第４図に示されるように、排紙口の付近では、排紙ローラー１０２の直下部分には紙寄せ用ファーブラシ１０３が配されており、排紙ドレイ１０７に落下された記録紙がその回転により突き当て板１０６の方向に寄せられて突き当て板１０６に突き当てられ、これにより記録紙の後端が揃えられるようになっている。
　つぎにシフト駆動機構においては、突き当て板１０６および排出トレイ１０７には第３図に示されるように、凹凸が形成されており、それが互いに噛み合わされるように構成されている。これによって排出トレイ１０７は突き当て板１０６に対して上下方向（第３図紙面垂直方向）は自在に移動可能とされ、かつ前後方向（第３図紙面左右方向）において突き当て板１０６に連動されて移動されるようになっている。第４図および第５図において突き当て板１０６は、排出トレイ１０７と異なる本体側において軸受１１１を介して軸状のシフトガイド１１２に支持されており、前後方向の移動が自在となるように構成されている。また第５図にも示されるように、突き当て板１０６は、アームロッド１１５を介してクランク１１３に偏心して接続されている。上記クランク１１３の回転軸は複写機中心軸に平行に配置されている。側板１００から垂直に突出される着脱自在のブラケット１１６にはギア列１１４が配されており、このギア列１１４を介して上記クランク１１３がシフトモーターＭ２に連結されている。シフトモーターＭ２を駆動することにより上記クランク軸１１３が駆動され、その偏心回転作用によって前後突き当て板１０６が前後方向に往復移動されるようになっている。このため突き当て板１０６に対して前後方向に規制されている排出トレイ１０７もそれにつれて前後方向に往復移動されるようになっている。また突き当て板１０６にはクランク１１３による移動量とほぼ等しい間隔に配してなる２つのシフト検知板１１８が突設されており、このシフト検知板１１８を、突き当て板１０６に対向されるシフト検知センサー１１７が検知することによって突き当て動作およびトレイシフト動作が一行程移動されたことが検知される。
　また第６図にも示されるように、突き当て板１０６に固定されているブラケット１１９を介して押えコロ１０８が上下動自在かつ回転自在に支持されており、これによって排出トレイ１０７および集積された記録紙の上面が自重で押圧されている。記録紙は重力および紙寄せファーブラシ１０３による搬送力で押えコロ１０８の下にもぐり込み、突き当て板１０６に突き当てられる。押えコロ１０８による押圧力で排出トレイ１０７がシフトされた場合には、記録紙ずれが防止される。押えコロ１０８に対向して、紙面検知センサーＳＮ３が本体側に配置されており、記録紙が集積されることにより押えコロ１０８の位置が上昇されると、紙面検知センサーＳＮ３が押えコロ支持ブラケット１２０の一部を検知し、これによって紙面または排出トレイ上面が規定の高さに達したことを知る。
　また上下動機構において、第７図および第８図に示されるように、排出トレイ１０７は、トレイ支持台１１０に固定されている。トレイ支持台１１０は、ベアリング１１０ａを介してトレイ上下動台１０９に前後移動自在に支持されている。このため前述したように突き当て板１０６によるシフト動作をトレイ上下動台１０９によって行なわせることができるものである。第１図にも示されているように、トレ上下動第１０９は、第３のタイミングベルト１２０に固定されている。第３のタイミングベルト１２０は、前後の側板１００の外側に１体づつ設けられており、各々が上下動駆動プーリー１２１および従動プーリー１２２に掛け渡されている。上下動駆動プーリー１２１は、ともに側板間を貫通する上下駆動軸１２３に固定されており、この上下動駆動軸１２３は、ワンウェイクラッチを内蔵するギア１２４が取り付けられている。ワンウェイクラッチは、排出トレイ１０７を持ち上げるようとする方向の力を上下駆動軸に伝達するように構成されている。上記ギア１２４は、ギア列、ウォームホイール１２５、ウォーム１２６などを介して上下動駆動モーターＭ３に接続されている。また上下動支持台１０９の側面には、ベアリング１２７が取り付けられており、側板１００に固定されている上下ガイドレール１２８と接触させることによって上下動のガイドおよび排出トレイの重量による回転モーメントによる排出トレイの倒れが防止されるようになっている。
　上述したように構成することによって通常時はウォーム１２６の保持力およびワンウェイクラッチがロックされることにより排出トレイ１０７の下降が停止されるようになっている。また上下動駆動モータＭ３を排出トレイ１０７の上昇方向へ回転させると、ワンウェイクラッチがロック状態となってプーリー１２１，１２２が回転され、これによって排出トレイ１０７が上昇される。上下動駆動モーターＭ３を排出トレイ１０７の下降方向に回転させると、ワンウェイクラッチがフリー状態となり、これによって排出トレイ１０７はその自重により下方向へ移動されるようになっている。
　さらに第９図にも示されるように、タイミングベルト１２０の内側には排出トレイ１０７と対向するように上限センサーＳＮ４と下限センサーＳＮ５が設置されており、上下検知板１２９をそれぞれが検知することによって排出トレイ１０７の上限下限が検知されるようになっている。排出トレイ１０７の下降時には、ワンウェイクラッチがフリー状態となっているため、上下動駆動モータＭ３の駆動力が排出トレイ１０７に伝達されずに下降時に排出トレイ１０７が外力によって停止されていても、上下動駆動モーターＭ３が空転されることによってモーターの過負荷や手指を挟むことなどによるトラブルが防止されるようになっている。
　コピー動作が開始されると、シフトモーターＭ２が駆動されクランク１１３が回転されることによりクランク１１３にロッド１１５を介して突き当て板１０６が前後方向に移動される。これに従い突き当て板１０６の凹凸に噛み合う形でかつ上下動および前後動自在に支持される排出トレイ１０７が前後方向に移動されてシフト動作が開始される。そしてシフトセンサー１１７がシフト動作の開始前に検知していた一方のシフト検知板１１８と異なる他方のシフト検知板１１８が検知されると、その信号によりシフトモーターＭ２が停止されシフト動作が終了される。シフト動作が終了された後に上下動駆動モーターＭ３がトレイ上昇方向に駆動されて排出トレイ１０７が上昇される。上下動開始後に、押えコロ１０８の支持ブラケット１２０の一部が紙面検知センサーＳＮ３により検知されるかまたは上限センサーＳＮ４が上下検知板１２９を検知すると、その信号により上下動駆動モーター３が停止されて排出トレイ１０７の上昇が終了されることとなる。紙面センサーＳＮ３が支持ブラケット１２０を検知した場合には、上下動駆動モーターＭ３がトレイ下降方向に駆動されて紙面センサーＳＮ３が支持ブラケット１２０を検知しなくなったところで上下動駆動モーターＭ３が停止される。
　本体より排出された記録紙を本体よりの排出速度と同一の線速度で搬送コロ１０１が受け取る。記録紙が搬送されていき入口センサーＳＮ１が記録紙の後端を検知すると、線速度が記録紙の本体排出速度より大きな値へ増速され、記録紙の後端部が入口センサーＳＮ１に検知されてから規定時間後に線速度が記録紙の本体排出速度に戻され、その上で排出トレイ１０７への排出が行なわれる。排出トレイ１０７へ排出された記録紙は、重力およびファーブラシ１０３の回転による搬送力で押えコロ１０８の下へもぐり込み突き当て板１０６に突き当てられることによって後端揃えが行なわれるようになっている。
　このときコピー枚数が規定枚数排出されると、その信号によりシフトモーターＭ２が駆動され、シフト動作が開始される。一行程シフトが完了されると、シフトモーターＭ２が停止される。この動作によって排出トレイ１０７上における記録紙の集積位置が変更され、記録紙の仕分けが行なわれる。そして一連のコピー動作が終了されて最終紙が排出されると、その信号により上下動駆動モーターＭ３が下降方向に駆動され、排出トレイ１０７が規定量下降された後に動作が終了されるようになっている。
　記録紙が一定量集積され、紙面が排紙ロへ近づいて押えコロ支持ブラケット１２０の一部が紙面検知センサーＳＮ３により検知されると、その信号により上下動駆動モーターＭ３がトレイ下降方向に駆動され、ウォーム１２６の保持力およびワンウェイクラッチのロックが解除されて排出トレイ１０７は自重によって下降されていく。排出トレイ１０７が下降されたことにより紙面が下がり、押えコロ支持ブラケット１２０の一部が紙面検知センサーＳＮ３に検知されなくなると、その信号によって上下動駆動モーターＭ３が停止され、ウォーム１２６の保持力およびワンウェイクラッチのロックが働いて排出トレイ１０７は停止される。排紙トレイ１０７が下降されていき、上下検知板１２９が下限センサーＳＮ５により検知された場合の信号により上下動駆動モーターＭ３が停止され、それ以上に排出トレイ１０７が下降されることが防止されるようになっている。
　ステープル部ＩＩにおけるステープラーの移動機構においては、第１図、第１０図、第１１図および第１２図に示されているように、ステープラーＳは、ステープラー台３１に固定されている。上記ステープラー台３１は、ステープラースライダー３０のガイド穴３０ｂにガイドピン３２を介して第１２図１方向に移動可能に係合されている。さらにステープラー台３１の背面側に軸４４が固定されており、その軸４４に対してガイドコロ３４が回転可能に取り付けられている。上記ステープラースライダー３０の上方部分は、両側板４１，４２の間に掛け渡されているガイドロッド３６をガイドとして第１２図紙面垂直方向にスライド可能に取り付けられているとともに、ステープラースライダー３０の下方部分に取り付けられているガイドコロ３３が本体側のステー４３の面上に転動するように当接されており、これによってステープラースライダー３０が回転方向に係止されている。またステー４３には、ガイドカム３５が固定されているとともに、このガイドカム３５の上端辺部に形成されているカム面には、上記ガイドコロ３４が転動するように当接されており、これによってステープラースライダー３０が第１０図ｋ方向に往復移動されるようになっている。このときガイドカム３５の中央部分は下方向に窪むように形成されており、これに沿ってステープラースライダー３０が移動されるようになっている。
　ステープラースライダー３０の上端部には、検知板３０ａが設けられており、この検知板３０ａが本体側に設けられているホームポジションセンサー４０の検知部を遮蔽することによってステープラーＳのホームポジション（ＨＰ）が検知されるようになっている。側板４１にはステープラー移動用のステッピングモーター３９が取り付けられており、このステッピングモーター３９により駆動されるベルト３８の途中部分が上記ステープラースライダー３０に固定されて、ステープラースライダー３０が第１０図左右方向に往復移動されるようになっている。
　つぎにジョガーフェンスの移動機構においては、第１０図および第１３図に示されるように、両側板４１，４２の間に掛け渡されているジョガーフェンスロッド９に左スライダー８および右スライダー７が往復移動自在に取り付けられており、これらの左スライダー８および右スライダー７に対して左ジョガーフェンス６および右ジョガーフェンス５がそれぞれ固定されている。これら左ジョガーフェンス６および右ジョガーフェンス５はステープル動作における紙束の揃え動作を行なう機能を有するとともに、排出口ーラー３の近傍から排紙トレイ５３の近傍まで延在されることによりステープル後の紙束を排出されるときのガイド部材としての機能を有している。これら左ジョガーフェンス６および右ジョガーフェンス５の下端部にはステープル後の紙束の下端縁部を保持する後端フェンス６ａ，５ａが設けられている。
　ジョガーフェンス駆動用モーター１１により駆動されるベルト１０の途中部分が上記左スライダー８および右スライダー７に固定されている。これら左スライダー８および右スライダー７はベルト１０の異なる側にそれぞれ固定されており、これによって左ジョガーフェンス６および右ジョガーフェンス５が第１０図左右方向において対照的に往復移動されるようになっている。左ジョガーフェンス６および右ジョガーフェンス５の上部背面側にはガイドコロ１５が取り付けられており、このガイドコロ１５が両側板４１，４２の上部に掛け渡されているガイドステー１６に転動するように当接されている。左スライダー８には、検知板８ａが設けられており、この検知板８ａが本体側に設けられているホームポジションセンサー１４の検知部を遮蔽することによって上記両ジョガーフェンス６，５のホームポジション（ＨＰ）が検知されるようになっている。第１５図にも示されているように、左ジョガーフェンス６および右ジョガーフェンス５の下端部には、カール押え６４が設けられており、これによってステープルトレイ上積載時の座屈が抑えられている。カール抑え６４は、例えばポリエステルフィルムなどの弾性部材から形成されている。
　つぎに放出ベルト機構においては、第１０図、第１３図および第１４図に示されるように、両側板４１，４２の上端部分に駆動軸２４が掛け渡されるように取り付けられているとともに、この駆動軸２４のほぼ中央部に駆動プーリー１８が固定されている。また上記駆動プーリー１８の下部部分には固定プーリーが設けられており、これら両プーリー１８，１９の間にエンドレスの放出ベルト１７が掛け渡されている。放出ベルト１７の途中部分はアイドルプーリー４７に掛けられているとともに、ベルトの内側に配置されているガイド板２５によって撓みおよびずれが防止されるように案内されている。また上記側板４１にはベルト駆動モーター２２が固定されており、このベルト駆動モーター２２の出力軸に取り付けられているプーリー２１と上記駆動軸２４の一端側に取り付けられているプーリー２０との間にベルト２３が掛け渡されてベルト駆動力が伝達されるようになっている。また上記放出ベルト１７の表面部途中部分には突起状の爪４６が紙束を下方側から把持するように設けられている。第１図に示されるように、放出ベルト１７の内部側には爪４６の位置を検出するホームポジションセンサー４８が設けられており、このホームポジションセンサー４８によって爪４６のホームポジション（ＨＰ）が検知されるようになっている。このような放出ベルト１７の搬送速度Ｖ２は、排出ローラー３の排紙線速度Ｖ１よりやや大きくなるように（Ｖ２≧Ｖ１）に設定されており、これによってつぎのジョブの紙束が既に綴じられた紙束と一緒に排出されないようになされている。
　このようなステープラーの各機構は、一つのユニットを形成するように構成されており、ガイドレール５１，５２により手前側に引き出すことができるように支持されている。
　排紙トレイ機構は第１図に示されるように、排紙トレイ５３の基部がトレイ台５４の上に固定されている。ドレイ台５４にはガイドコロ５６が回転可能に取り付けられており、このガイドコロ５６が図示を省略したガイドレールに係合されることによってトレイ台５４とともに排紙トレイ５３が上下方向に移動されるようになっている。また上記トレイ台５４はリフトスプリング５５により上方向への付勢力が与えられている。
　搬送ローラー６０，６１，６２には搬送モーター５９から図示を省略したベルトを通して駆動力が伝達されており、さらに排出ローラー３にも搬送モーター５９から図示を省略したベルトにより駆動力が伝達されている。また排出ローラー３の回転軸２にはファーブラシ１ａおよび１ｂが取り付けられており、これらファーブラシ１ａおよび１ｂは上記排出ローラー３と同期して回転駆動されるようになっている。上記ファーブラシ１ａ，１ｂの毛先部分はガイド板２６，２７に接触されている。ガイド板２６，２７にはステープル後の紙束の下縁端部を保持する突起状のリブ２６ａ，２７ａが設けられているとともに、突起状リブ２６ｂ，２７ｂが表側に突出するように形成されている。したがって記録紙は、上記突起状リブ２６ｂ，２７ｂと上記ファーブラシ１ａ，１ｂの毛先部分による押圧力とにより背面側に撓ませられて波状に変形され、これにより紙束が座屈しないように一定の腰を持たせられるようになっている。
　さらに特に第１５図に示されるように、排紙部上ガイド板６７の排紙ローラー３の回転中心からの突出量Ｌは送られてくる紙の飛び出し量１より大きく設定されており、これによって万が一上記ファーブラシ１ａ，１ｂの下側に記録紙が落ちないで上ガイド板６７とファーブラシ１ａ，１ｂとの間に入ってもファーブラシ１ａ，１ｂの毛先によって記録紙の後端部が下方に掻き落とされるようになっている。
　記録紙の処理動作をつぎに説明する。まずステープルキーによりステープル動作が選択され、図示を省略した原稿給紙台（ＲＤＨ）に原稿（Ｎ枚）がセットされ、さらにコピー部数（Ｋ部）が１０キーにより入力された後にコピーボタンが押されると、複写機本体よりコピーサイズ信号が受けられてステープル部に入れることができるサイズか否かが判断される。ステープル部に入れることができるサイズの場合には放出ベルト１７の爪４６がホームポジション（Ｈ．Ｐ）にあるか否かが判断される。ホームポジションにない場合にはベルト駆動モーター２２によってホームポジションに戻される。ステープラーＳがホームポジションにあるか否かが検知されホームポジションを検知していれば前記サイズ信号によって所定の場所までステープラーＳが移動され、ホームポジションを検知していなければホームポジションを検知するまで移動されてホームポジションを検知してからサイズ信号によって所定の場所までステープラーＳが移動されるようになっている。
　またジョガーフェンス５，６がホームポジション（Ｈ．Ｐ）にあるか否かが検知され、ホームポジションを検知していれば前記サイズ信号によって所定の場所までジョガーフェンス５，６が移動され、ホームポジションを検知していなければホームポジションを検知するまで移動されてホームポジションを検知してからサイズ信号によって所定の場所までジョガーフェンス５，６は移動されるようになっている。このときの移動場所は、サイズ幅より片側ａｍｍ、両側で２ａｍｍ離れた位置に移動される。
　そして記録紙の先端部が入口センサーＳＮ１により検知されると、切り替えガイド部材１０５が切り替えソレノイド２３０によってステープルトレイの方に切り替えられての案内が行なわれる。記録紙の後端部が入口センサーＳＮ１を抜けると、高速送りになされる。入口センサーＳＮ１を抜けて所定時間すなわち切り替えガイド部材１０５を抜けるまでの時間後に、切り替え用のソレノイド２３０がオフされる。排出ローラー３によって記録紙がステープルトレイに排出され、排出が行なわれているときには、排紙部上ガイド板６７に固定されている除電ブラシ６３によって記録紙に帯電されている電荷が取り除かれるようになっている。排紙ローラー３にはっぱが設けられており、これによって記録紙が波形状に曲げられて腰が付けられるようになっている。記録紙の後端部が排出ローラー３を抜けると、同軸上のファーブラシ１ａ，１ｂにより記録紙の後端癌押し下げられ、後端フェンス２６ａ，２７ａおよびジョガーフェンス５，６に設けられている後端フェンス５ａ，６ａに突き当てられるようにして寄せられる。下排紙センサー５０を抜けて所定時間の後、それまで待機されていたジョガーフェンス５，６の駆動用モーター１１が正逆転が１回ないし２回繰り返され、これにより記録紙が幅方向に揃えられ、このような紙揃えが行なわれた後に待機位置に戻される。この紙揃え動作は記録紙ごとに繰り返され、１ジョブの終了信号が複写機本体から発せられるまで行なわれる。
　つぎに１ジョブの終了信号が複写機本体から発せられ受けられると、再び上述した動作が実行された後に記録紙束がジョガーフェンス５，６により幅方向に押せ込まれる。そしてステープラーＳ内の駆動モニター２２３が駆動を開始され、記録紙束が綴じられる。この綴じ動作において１か所打ちか否かが判断され、１か所打ちの場合には綴じ動作の終了の後にジョガーフェンス５，６はペーパー束より少し逃げた位置に移動される。２カ所打ち以上の場合は、ステープラー移動用モーター３９により所定の位置まで移動されて再び綴じ動作が実行され、綴じ動作が行なわれた後にジョガーフェンス５，６はペーパー束より少し逃げた位置に戻される。このとき放出ベルト１７が第１３図ｍの方向に回転されて爪４６により記録紙束の後端が押し上げられながらステープルトレイへの排出方向と同じ方向に記録紙束が排紙トレイ５３に排出される。
　最後に設定された部数（Ｋ部）が終了されたか否かが判断され、終了時にはジョガーフェンス５，６およびステープラーＳがホームポジションまで移動され、未だ終了されていないときには上述した動作が再び実行されるようになっている。
　このような装置において、排出トレイ１０７の上下動作は電源投入時かモード選択時のいずれか時点では、まず上限センサーＳＮ４、下限センサーＳＮ５および紙面センサーＳＮ３の出力状態をＣＰＵがチェックし、排出トレイ１０７の現時点でどの位置にあるかが判断される。上限センサーＳＮ４および紙面センサーＳＮ３がオンの状態になされていれば、上下動駆動モーターＭ３がオンされ、紙面センサーＳＮ３がオフされるところまで排出トレイ１０７が下げられる。上限センサーＳＮ４のみがオンされている場合には何も行なわれない。上限センサーＳＮ４、下限センサーＳＮ５および紙面センサーＳＮ３が全てオフされている場合には上下動駆動モーターＭ３がオンされて上限センサーＳＮ４または紙面センサーＳＮ３がオンされるところまで排紙トレイ１０７が上げられ、紙面センサーＳＮ３がオンされた場合は紙面センサーＳＮ３がオフされるまで下げられる。紙面センサーＳＮ３のみがオンされている場合には上下動駆動モーターＭ３がオンされ、紙面センサーＳＮ３がオフされるまで排出トレイ１０７が下げられる。下限センサーＳＮ５および紙面センサーＳＮ３がオンされている場合には排出トレイ１０７上に記録紙が積載容量一杯と判断され、複写機本体に紙が一杯であるという信号が送信され、記録紙が取り除かれて所定時間後に上下動駆動モーターＭ３がオンされ、上限センサーＳＮ４または紙面センサーＳＮ３がオンされるまで排出トレイ１０７が上げられる。紙面センサーＳＮ３がオンされたら紙面センサーＳＮ３がオフされるまで排出トレイ１０７が下げられる。
　同一モードで再スタートを行なう場合には、電源の投入時、モード選択時と同じ動作が本体のコピースタート信号と同期して行なわれる。
　コピー中およびコピー終了時には、紙面センサーＳＮ３がオンされたら紙面センサーＳＮ３がオンされたら上下動駆動モータＭ３がオンされ、紙面センサーＳＮ３がオフされるまで排出トレイ１０７が下げられる。この動作が繰り返し行なわれることによって下限センサーＳＮ５がオンされたらがオンされたら排出トレイ１０７に記録紙が一杯であるという信号が本体へ送信される。この動作は、トレイシフト動作と重なった場合はトレイシフト動作が優先され、シフト動作中は待機されてシフト終了後に行なわれる。最終紙が本体排紙センサー２１５を通過した後、フィニッシャーストップ信号が送信されるので、この信号が受信されたら最終紙が排出トレイ１０７に排出が行なわれた後に上下動駆動モーターＭ３がオンされて所定量排出トレイ１０７が下げられてコピー紙取りが容易に行なわれる。
　つぎに電源投入時においてシフト動作は行なわれず、シフトまたはプルーフモードを選択しモード信号を受信したらシフトモーターＭ２がオンされて排出トレイ１０７が動かされてシフト検知センサー１１７がオンされたらシフトモーターＭ２がオフされる。この動作によって排出トレイ１０７に残っている紙と新しく行なわれるジョブの紙が仕分けされるようになっている。このような動作は、トレイ上下動作中は待機され上下動作終了後に行なわれる。このようにすることで排出トレイ１０７上に記録紙が残っていても押さえコロ１０８で記録紙が抑えられ、シフト時に記録紙がずれないようになされることとなる。
　コピー時およびコピー終了時においては、コピーセットの最終紙が本体紙センサー２１５を抜けるとシフト信号が送信され、フィニッシャーはこの信号を受信して最終紙の後端が排紙センサーＳＮ２上を通過し、所定時間経過後にシフトモーターＭ２がオンされ、シフト動作が開始される。シフト検知センサー１１７がオンされたらシフトモーターＭ２がオフされる。上記動作はトレイ上下動作より優先され、シフト動作中はトレイ上下動は待機されシフト終了後に上下動が行なわれるようになっている。このようにすることによってシフトによる紙のずれが防止される。
　同一モードで再スタートが行なわれるときにはコピー開始時にシフト動作は行なわれず、コピー中は上記コピー時と同様な動作が実行されるようになっている。
　つぎにジョガーフェンス動作を説明する。まず電源投入時およびモード選択時には、ジョガーホームポジションセンサー１４、トレイ紙有無センサー２０５の出力状態がＣＰＵによりチェックされ、以下の動作が実行される。ジョガーホームポジションセンサー１４のみがオンされている場合には何も行なわれない。トレイ紙有無センサー２０５がオンされていれば、ステープルトレイに記録紙が残っているという信号が本体へ送信される。ジョガーホームポジションセンサー１４およびトレイ紙有無センサー２０５がオフされている場合には、ジョガー駆動モーター１１がオンされてジョガーフェンス５，６がホームポジション方向に移動され、ジョガーホームポジションセンサー１４がオンされたらジョガー駆動モーター１１がオフされる。
　コピー中、コピー終了時およびコピー再スタート時には、本体のコピースタート後に紙サイズ信号が受信されたら、ジョガー駆動モーター１１がオンされてジョガーフェンス５，６が移動され、紙の幅サイズよりも所定量手前の位置に止められ待機される。紙が排紙センサー５０を抜けて所定時間が経過されると、ジョガー駆動モーター１１がオンされて待機位置にあるジョガーフェンス５，６が移動されて紙揃えが行なわれ、再び待機位置に戻される。このときジョガー駆動モーター１１は正転・逆転を１回〜数回繰り返され、これによりジョガーフェンス５，６は紙の幅方向に揃え動作が行なわれる。このような動作は記録紙がステープルトレイ上に排出されるごとに行なわれるようになっている。
　コピーセットの最終紙が本体排紙センサー２１５を抜けるとステープル信号が送信され、この信号を受けることにより最終紙がステープルトレイに排出され、上記紙揃え動作が行なわれた後に紙の幅方向を押える位置にジョガーフェンス５，６が移動され止められる。ステープル動作が終了されたら、ジョガーフェンス５，６が紙の幅方向の両端から少し離れた位置に移動される。そして放出ベルト１７により記録紙束が排紙トレイ５３に排出される。このようにすることによってステープル時に紙がずれるのが押えられ、また記録紙束の排出時にジョガーフェンス５，６が幅方向のガイドとして使用されるようになっている。
　以上のような動作がコピー部数分にわたって繰り返し行なわれて最終記録紙束が排紙トレイ５３上に排出されたら、ジョガー駆動モーター１１がオンされ、ジョガーフェンス５，６がホームポジション方向へ移動され、ジョガーホームポジションセンサー１４がオンされたら、ジョガー駆動モーター１１がオフされる。
　ステープラー動作の電源投入時およびモード選択時においては、１回転センサー２１０、針有無センサー２１１、ステープラーホームセンサー２１２の出力状態がＣＰＵによりチェックされ、以下の動作が実行される。
　１回転センサー２１０がオフされている場合にトレイ排紙有無センサー２０５がオンされていると、ステープル不良と判断され、ステープラー異常信号が本体に送信される。
　針有無センサー２１１がオフ状態になっている場合には、ステープラー針成し信号が本体へ送信される。ステープラーホームセンサー４０がオンされている場合は何も行なわれない。ステープラーホームセンサー４０がオフされる場合は、１回転センサー２１０がオンされていれば、ステープラー移動モーター３９がオンされ、ステープラーＳがホームポジション方向に移動される。ステープラーホームセンサー４０がオンしたら、ステープラー移動モーター３９がオフされる。１回転センサー２１０がオフされていると、ステープルミス、ジャム処理後などと判断されその状態で待機される。人為的処理により１回転センサー２１０がオンされると、ステープラー移動モーター３９がオンされ、ステープラーがホームポジション方向へ移動されてステープラーホームセンサー４０がオンされた後にステープラー移動モーター３９がオフされるようになっている。
　コピー時、コピー終了時およびコピー再スタート時においては、本体のコピースタート後に紙サイズ信号が受信された後、ステープラー移動モーター３９がオンされて紙サイズに合わせた位置に所定量ステープラーＳが移動される。つぎにコピーセットの最終紙が本体排紙センサー２１５を通過した後にステープルのオン信号が本体より送信され、その信号が受信されたら最終紙がステープルトレイ上に排出され、ジョガーフェンス５，６が記録紙束の幅方向の両端が押えられたらステープルモーター２２３がオンされてステープル動作が行なわれ、１回転センサー２１０がオンされたらステープルモーター２２３がオフされる。２カ所綴じモードの場合は、ステープラー移動モーター３９がオンされて紙サイズに合わせステープラーＳが所定量移動されたところでステープラー移動モーター３９がオフされて２カ所目のステープル動作が行なわれる。このようなステープ動作がコピー部数分繰り返し行なわれて最終記録紙束がステープルされると、ステープラー移動モーター３９がオンされてステープラーＳがホームポジション方向に移動され、ステープラーホームセンサー４０がオンされたらステープラー移動モーター３９がオフされる。
　つぎに排出ベルトの動作を説明する。
　電源投入時およびモード選択時においては、ベルトホームセンサー４８、トレイ排紙有無センサー２０５、１回転センサー２１０の出力状態をＣＰＵがチェックしてっぎの動作が行なわれる。ベルトホームセンサー４８がオンされてトレイ排紙有無センサー２０５がオフされてる場合には何も行なわれない。ベルトホームセンサー４８、トレイ排紙有無セサー２０５がともにオフされている場合には、放出ベルト１７がホーム位置に戻っていないと判断されてベルト駆動モーター２２がオフされ放出ベルト１７が動作され、ベルトホームセンサー４８がオンされたらベルト駆動モーター２２がオフされる。ベルトホームセンサー４８がオフされてトレイ排紙有無セサー２０５がオンされている場合には、排出不良と判断され、ステープルトレイ上の記録紙束を取り除くように複写機本体に信号が送られる。記録紙束が取り除かれた後にベルト駆動モーター２２がオンされて放出ベルト１７が動作され、ベルトホームセンサー４８がオンされたらベルト駆動モーター２２がオフされる。
　コピー時およびコピー終了時においては、コピーセットの最終紙がステープルトレイ上に排出され、ステープラーＳにより記録紙束の綴じ作業が行なわれると、１回転センサー２１０がオンされて正常にステープルされたことが確認される。その後にベルト駆動モーター２２がオンされて放出ベルト１７が動作され、ステープルされた記録紙束が排紙トレイ５３上に排出され、ベルトホームセンサー４８がオンされたらベルト駆動モーター２２がオフされる。このような動作はコピー部数分繰り返し行なわれる。
　搬送系のうちシフトトレイ系においては、複写機本体がコピースタートされるとフィニッシャースタート信号が送信されてくるので、その信号が受信されると、搬送モーター２２０がオンされ低速運転が本体線速度と同じ速度で行なわれる。本体から記録紙が排出されて入口センサーＳＮ１がオンされたら、タイマーがセットされて所定時間内に記録紙が入口センサーＳＮ１を通過するかが監視されジャムの検出が行なわれる。記録紙の後端が入口センサーＳＮ１を抜けて入口センサーＳＮがオフされたら、搬送モーター２２０が高速運転に切り換えられて搬送速度が上げられる。またタイマーがセットされて記録紙の先端部が排紙センサーＳＮ２を所定時間内にオンされるか否かが監視されてジャム検出が行なわれる。入口センサーＳＮ１を通過後に所定時間が経過されたら、搬送モーター２２０が低速運転に戻され、つぎの記録紙の搬入に備えられる。排紙センサーＳＮ２が記録紙によりオンされたら、タイマーがセットされ、所定時間内に記録紙が通過するか否かが監視されてジャムの検出が行なわれる。
　このような動作が繰り返し行なわれることにより、シフトトレイモードの場合はシフト信号が受信されたら、コピーセットの最終紙が排紙センサーＳＮ２を通過してから所定時間経過後にシフトＯＫの信号が出力され、シフト動作が行なわれるタイミングが計測される。本体から最終記録紙の排紙が行なわれるとフイニッシャーストップ信号が送信されてくるのでその信号が受信されたら、最終記録紙が排紙センサーＳＮ２を通過した後に所定時間経過されたら搬送モーター２２０がオフされる。
　つぎにステープルトレイ系においては、複写機本体がコピースタートされると、フィニッシャースタート信号が送信されてくるので、その信号が受信されると、搬送モーター２２０がオンされ低速運転が本体線速度と同じ速度で行なわれる。本体から記録紙が排出されて入口センサーＳＮ１がオンされたら、切り替えソレノイド２３０および下搬送モーター２２６が低速運転でオンされてタイマーがセットされ、所定時間内に記録紙が入口センサーＳＮ１を通過するかが監視されてジャムの検出が行なわれる。記録紙の後端が入口センサーＳＮ１を抜けて入口センサーＳＮ１がオフされ所定時間経過後に、下搬送モーター２２６が高速運転に切り換えられ搬送速度が上げられる。またタイマーがセットされて記録紙の先端部が下排紙センサー５０を所定時間内にオンされるか否かが監視されてジャム検出が行なわれる。記録紙後端が入口センサーＳＮ１を通過後に所定時間が経過されたら切り替えソレノイド２４０がオフされる。下排紙センサー５０が記録紙によりオンされたらタイマーがセットされ、所定時間内に記録紙が通過するか否かが監視されてジャムの検出が行なわれる。記録紙が下排紙センサー５０を通過後に所定の時間が経過されたら下搬送モーター２２６が低速運転に切り換えられる。
　このような動作が繰り返し行なわれることによりステープル信号が受信されたら、コピーセットの最終紙が下排紙センサー５０を通過後に所定時間経過後、ジョガーフェンスによる紙揃え動作が行なわれ、その後ステープル動作が行なわれるタイミングが計測される。本体から最終記録紙の排紙が行なわれると、フィニッシャーストップ信号が送信されてくるのでその信号が受信されたら、最終記録紙が排紙センサー５０を通過した後に所定時間経過されたら搬送モーター２２０および下搬送モーター２２６がオフされる。
　つぎに複写機本体の排出コロから排出されてくる記録紙が入口センサーＳＮ１により検出されると、その検出信号に基づいて複写機本体から排出されてくる記録紙の枚数がカウントされ、ステープル部にスタックされるコピー枚数が検出される。そして第１６図に示されるように、上記カウント値すなわちステープル部に送られてくるコピー枚数値が、予め設定されているステープル可能枚数値（選定枚数値）と比較され、ステープル部にスタックされているコピー枚数値が選定枚数値を越えた場合には、前記放出ベルト機構のベルト駆動モーター２２がオンされて放出ベルト１７が駆動され、これによりステープル装置部に既にスタックされているコピー記録紙群がステープルされることなしに排紙トレイ５３に排出されるようになっている。
　さらにステープル装置部に搬入される残りの記録紙は一旦ステープル装置部ヘスタックされ、スタック終了後に、放出ベルト機構のベルト駆動モーター２２が再びオンされて放出ベルト１７が駆動され、これによりステープル装置部にスタックされている残りのコピー記録紙群がステープルされることなしに排紙トレイ５３に排出される。
　このように規定枚数以上の記録紙がステープル装置部へ送り込まれた場合において、ステープル処理を行なうことなく記録紙群を排出させることによって、ステープル能力オーバーに基づくジャム発生などの不都合が未然に防止されるとともに、コピー処理動作が規定枚数で中断されることがなくなり、これによりコピー作業をスムーズに行ない得ることとなる。
　さらに第１７図に示されているように、複写機のＣＰＵとフィニッシャー側のＣＰＵとは光ファイバーで接続されている。
　フィニッシャーのシフトトレイ部においては、ＣＰＵ１０００に対し、サーボ制御回路１００１を介して搬送モーター１００２がそれぞれ接続されているとともに、正逆ドライバー回路１００３を介して上下モーター１００４が接続され、また正逆ドライバー回路１００５を介してシフトモーター１００６が接続されている。さらに上記ＣＰＵ１０００に対しては、各種センサーおよび各種スイッチ１００７からの信号が入力されている。
　さらにまた上記ＣＰＵ１０００は、インターフェースＩ／０を介してステープル部にコネクター接続されている。そして上記インターフェースＩ／０に対してステープルユニット１００８が接続されているとともに、サーボ制御回路１００９を介して搬送モーター１０１１が接続され、またサーボ接続回路１０１２を介して排出モーター１０１３が接続され、さらにステッピング制御モーター制御回路１０１４を介してジョガーモーター１０１５が接続され、ステッピング制御モーター制御回路１０１６を介してステープラー移動モーター１０１７が接続されている。さらにまた上記インターフェースＩ／０には、各種センサーおよび各種スイッチ１０１８からの信号が入力されている。
［発明の効果］
　以上述べたように本発明は、規定枚数以上の記録紙がステープル装置部へ送り込まれた場合において、ステープル動作を実行させることなく記録紙群を
当該ステープル装置部にスタックされた頁順を保った状態で
【図面の簡単な説明】
第１図は本発明の一実施例におけるフニッシャーの全体構成を表わした側面説明図、第２図は排出トレイへの排出部を表わした外観斜視図、第３図はトレイシフト揺動機構におけるトレイ嵌合状態を表わした平面説明図、第４図および第５図はトレイシフト揺動機構の駆動系を表わした平面説明図および外観斜視図、第６図は排紙押え機構を表わした外観斜視図、第７図および第８図は排紙トレイ上下機構の側面説明図および外観斜視図、第９図は排紙処理系の概略構造を表わした模式的側面説明図、第１０図および第１１図はステープル部の概略構成を表わした正面説明図および底面説明図、第１２図はステープラーの取付構造を表わした側面説明図、第１３図は排出装置の外観斜視図、第１４図は第１０図中のＢ−Ｂ線断面図、第１５図はステープル排出部の拡大側面説明図、第１６図は規定枚数以上の記録紙がステープル装置部へ送り込まれた場合の記録紙群排出制御動作手順を表わしたフロー図、第１７図は本発明を実施するための制御系を表わしたブロック線図である。
Ｉ……シフト仕分け部、ＩＩ……ステープル部、Ｓ……ステープラー、３……排紙ローラ、５，６……ジョガーフェンス、１７……放出ベルト、２２……ベルト駆動モーター、２６，２７……ガイド板、５３……排出トレイ、１０３……紙寄せ用ファーブラシ、１０７……排出トレイ。